(57)【要約】【課題】音声出力端子とスピーカとの接続作業が煩雑であり接続間違いもあった。【解決手段】音声再生装置であって、スピーカの選択指示を受け付け、選択指示に応じて複数のスピーカの中からスピーカを選択するスピーカ選択手段と、各音声出力端子に順にテスト音声信号を出力させることにより各音声出力端子に接続された各スピーカから順にテスト音声を出力させるテスト音声出力手段と、各スピーカから順にテスト音声が出力されている過程で対応付け指示を受け付け、対応付け指示を受け付けた時点でテスト音声信号を出力している音声出力端子とスピーカ選択手段により選択されているスピーカとを対応付ける対応付け手段と、スピーカが対応するチャンネルの音声信号を、対応付け手段によってスピーカに対応付けられた音声出力端子から出力させる対応音声出力手段と、を備える。【選択図】図４
2012100077.tif 000002
【特許請求の範囲】
【請求項１】
スピーカを接続して音声信号を出力するための音声出力端子を複数備え、各音声出力端子に接続された各スピーカから各チャンネルの音声を出力させる音声再生装置であって、
スピーカの選択指示を受け付け、当該選択指示に応じて複数のスピーカの中からスピーカを選択するスピーカ選択手段と、
上記各音声出力端子に順にテスト音声信号を出力させることにより各音声出力端子に接続された各スピーカから順にテスト音声を出力させるテスト音声出力手段と、
上記各スピーカから順にテスト音声が出力されている過程で所定の対応付け指示を受け付け、当該対応付け指示を受け付けた時点で上記テスト音声信号を出力している音声出力端子と上記スピーカ選択手段により選択されているスピーカとを対応付ける対応付け手段と、
スピーカが対応するチャンネルの音声信号を、上記対応付け手段によって当該スピーカに対応付けられた音声出力端子から出力させる対応音声出力手段と、を備えることを特徴とする音声再生装置。
【請求項２】
上記スピーカ選択手段は、各チャンネルのスピーカを表すアイコンを含む画面を所定の表示手段に表示させ、外部のリモートコントロール装置による当該画面上のアイコンの選択を上記スピーカの選択指示として受け付けることを特徴とする請求項１に記載の音声再生装置。
【請求項３】
上記対応付け手段は、上記アイコンのいずれかが選択された状況で、上記リモートコントロール装置による上記対応付け指示を受け付けた場合に、当該対応付け指示を受け付けた時点で上記テスト音声信号を出力している音声出力端子と、当該選択されているアイコンが示すスピーカとを対応付けることを特徴とする請求項２に記載の音声再生装置。
【請求項４】
上記スピーカ選択手段により所定の低音域の再生に対応するスピーカが選択された場合、上記テスト音声出力手段は、当該低音域の周波数によるテスト音声信号を出力させ、上記スピーカ選択手段により当該低音域の再生に対応するスピーカ以外のスピーカが選択された場合、上記テスト音声出力手段は、当該低音域の周波数よりも高周波数のテスト音声信号を出力させることを特徴とする請求項１〜請求項３のいずれかに記載の音声再生装置。
【請求項５】
上記テスト音声出力手段は、上記スピーカ選択手段によりスピーカが選択された場合、既に上記対応付け手段によりスピーカとの対応付けがなされた音声出力端子以外の音声出力端子を対象としてテスト音声信号を出力させることを特徴とする請求項１〜請求項４のいずれかに記載の音声再生装置。
【請求項６】
フロントレフトとフロントライトとセンターとサラウンドレフトとサラウンドライトとサブウーファーを含む各チャンネルに対応する各スピーカを接続して音声信号を出力するための各音声出力端子を備え、音声情報を含むデジタルコンテンツを記録した記録媒体を読み込み音声情報をデコードして上記各チャンネルの音声信号を抽出し、各チャンネルの音声信号をデジタルアンプにより増幅しつつ各音声出力端子に接続された各スピーカから各チャンネルの音声を出力させる音声再生装置と、当該音声再生装置と接続する表示装置と、を含む音響システムであって、
上記音声再生装置は、
各チャンネルのスピーカを表すアイコンを含む画面を上記表示装置に表示させ、
外部のリモートコントロール装置による当該画面上のアイコンの選択に応じて複数のスピーカの中からスピーカを選択し、上記アイコンのいずれかが選択された状況で、上記各音声出力端子に順にテスト音声信号を出力させることにより各音声出力端子に接続された各スピーカから順にテスト音声を出力させ、各スピーカから順にテスト音声が出力されている過程で上記リモートコントロール装置による所定の対応付け指示を受け付け、当該対応付け指示を受け付けた時点で上記テスト音声信号を出力している音声出力端子と上記選択されているアイコンが示すスピーカとを対応付ける処理を、上記アイコンが選択される度に繰り返し実行し、
かつ、一つのアイコンが選択された場合、既にスピーカとの対応付けがなされた音声出力端子以外の音声出力端子を対象としてテスト音声信号を出力させることとし、
上記アイコンの選択により上記サブウーファーのスピーカが選択された場合は所定の低音域の周波数によるテスト音声信号を出力させ、上記アイコンの選択により上記サブウーファー以外のスピーカが選択された場合は当該低音域の周波数よりも高周波数のテスト音声信号を出力させ、
上記デジタルコンテンツの再生にあたっては、各スピーカがそれぞれ対応するチャンネルの音声信号を、上記対応付けの処理により各スピーカに対応付けた音声出力端子からそれぞれ出力させる、ことを特徴とする音響システム。
【発明の詳細な説明】
【技術分野】
【０００１】
本発明は、音声再生装置および音響システムに関する。
【背景技術】
【０００２】
複数のスピーカを接続して複数チャンネルの音声を出力する音響システムが知られている（特許文献１〜５参照）。音響システムの主たる構成を担う再生装置は、複数のスピーカを接続するための音声出力端子（コネクタ）を備える。音響システムでは、例えば、５．１ｃｈサラウンドと呼ばれるフロントレフト（以下、ＦＬ）、フロントライト（以下、ＦＲ）、センター（以下、Ｃｅｎｔｅｒ或いはＣ）、サラウンドレフト（以下、ＳＬ）、サラウンドライト（以下、ＳＲ）、サブウーファー（以下、ＳＷ）の各チャンネルの音声を、再生装置の各コネクタがケーブルで接続するＦＬスピーカ、ＦＲスピーカ、Ｃスピーカ、ＳＬスピーカ、ＳＲスピーカ、ＳＷスピーカから出力させる。
【先行技術文献】
【特許文献】
【０００３】
【特許文献１】特開２０１０‐１１８８３８号公報
【特許文献２】特開２００８‐７８９３８号公報
【特許文献３】特開２００７‐６８０２１号公報
【特許文献４】特開２００５‐１９８２４９号公報
【特許文献５】特開２００５‐１２５３４号公報
【発明の概要】
【発明が解決しようとする課題】
【０００４】
従来、再生装置においては、上記各コネクタは対応する（接続すべき）スピーカが予め決められており、各コネクタに対して一義的に決められたチャンネルの音声が割り当てられていた。つまり、ＦＬスピーカはＦＬ専用のコネクタに接続する必要があり、同様に、ＦＲスピーカ、Ｃスピーカ、ＳＬスピーカ、ＳＲスピーカ、ＳＷスピーカはそれぞれ、ＦＲ専用のコネクタ、Ｃ専用のコネクタ、ＳＬ専用のコネクタ、ＳＲ専用のコネクタ、ＳＷ専用のコネクタに接続する必要があった。
しかしながら、多数のスピーカをそれぞれが対応するコネクタに間違いなく接続することはユーザにとって煩雑な作業であり、このような接続に不慣れなユーザは、誤った接続をしてしまうこともある。
【０００５】
本発明は上記課題を解決するためになされたものであり、どのスピーカをどの音声出力端子に接続しても、複数チャンネルの音声を出力するための複数のスピーカの設定が正しく行なわれる音声再生装置および音響システムを提供する。
【課題を解決するための手段】
【０００６】
本発明の態様の一つは、スピーカを接続して音声信号を出力するための音声出力端子を複数備え、各音声出力端子に接続された各スピーカから各チャンネルの音声を出力させる音声再生装置であって、スピーカの選択指示を受け付け、当該選択指示に応じて複数のスピーカの中からスピーカを選択するスピーカ選択手段と、上記各音声出力端子に順にテスト音声信号を出力させることにより各音声出力端子に接続された各スピーカから順にテスト音声を出力させるテスト音声出力手段と、上記各スピーカから順にテスト音声が出力されている過程で所定の対応付け指示を受け付け、当該対応付け指示を受け付けた時点で上記テスト音声信号を出力している音声出力端子と上記スピーカ選択手段により選択されているスピーカとを対応付ける対応付け手段と、スピーカが対応するチャンネルの音声信号を、上記対応付け手段によって当該スピーカに対応付けられた音声出力端子から出力させる対応音声出力手段と、を備える構成としてある。
【０００７】
上記構成によれば、ユーザは選択指示によりスピーカを選択する。そして、各音声出力端子に接続された各スピーカから順にテスト音声が出力される状況において、当該選択したスピーカからテスト音声が出力されていることを認識したタイミングで対応付け指示を行う。すると、当該選択したスピーカと、そのときテスト音声信号を出力している音声出力端子とが対応付けられる。このようにスピーカと音声出力端子とが対応付けられた後は、スピーカに対応するチャンネルの音声信号が当該スピーカに対応付けられた音声出力端子から出力される。つまり本発明によれば、ユーザは、どのスピーカをどの音声出力端子に接続すべきかを全く意識することなく自由にスピーカを音声出力端子に接続しても、上記対応付けの処理が行なわれることで各スピーカに対して正しいチャンネルの音声信号が出力される。よって、各スピーカを音声再生装置に接続する際の煩雑さや従来発生していた接続間違いが解消される。
【図面の簡単な説明】
【０００８】
【図１】ホームシアターシステムを例示する図である。
【図２】再生装置に設けられた複数のコネクタを例示する図である。
【図３】再生装置の概略構成を例示するブロック図である。
【図４】対応付け処理の内容を例示するフローチャートである。
【図５】ＵＩ画像上でアイコンが選択される様子を例示する図である。
【発明を実施するための形態】
【０００９】
本発明の実施形態として、上記スピーカ選択手段は、各チャンネルのスピーカを表すアイコンを含む画面を所定の表示手段に表示させ、外部のリモートコントロール装置による当該画面上のアイコンの選択を上記スピーカの選択指示として受け付ける構成としてもよい。
また本発明の実施形態として、上記対応付け手段は、上記アイコンのいずれかが選択された状況で、上記リモートコントロール装置による上記対応付け指示を受け付けた場合に、当該対応付け指示を受け付けた時点で上記テスト音声信号を出力している音声出力端子と、当該選択されているアイコンが示すスピーカとを対応付ける構成としてもよい。
また本発明の実施形態として、上記スピーカ選択手段により所定の低音域の再生に対応するスピーカが選択された場合、上記テスト音声出力手段は、当該低音域の周波数によるテスト音声信号を出力させ、上記スピーカ選択手段により当該低音域の再生に対応するスピーカ以外のスピーカが選択された場合、上記テスト音声出力手段は、当該低音域の周波数よりも高周波数のテスト音声信号を出力させる構成としてもよい。
また本発明の実施形態として、上記テスト音声出力手段は、上記スピーカ選択手段によりスピーカが選択された場合、既に上記対応付け手段によりスピーカとの対応付けがなされた音声出力端子以外の音声出力端子を対象としてテスト音声信号を出力させる構成としてもよい。
【００１０】
また本発明の技術的思想は、音声再生装置という物によって実現されるだけでなく、かかる音声再生装置を含むシステムによっても実現される。その一例として、フロントレフト（ＦＬ）とフロントライト（ＦＲ）とセンター（Ｃ）とサラウンドレフト（ＳＬ）とサラウンドライト（ＳＲ）とサブウーファー（ＳＷ）を含む各チャンネルに対応する各スピーカを接続して音声信号を出力するための各音声出力端子を備え、音声情報を含むデジタルコンテンツを記録した記録媒体を読み込み音声情報をデコードして上記各チャンネルの音声信号を抽出し、各チャンネルの音声信号をデジタルアンプにより増幅しつつ各音声出力端子に接続された各スピーカから各チャンネルの音声を出力させる音声再生装置と、当該音声再生装置と接続する表示装置と、を含む音響システムであって、
上記音声再生装置は、各チャンネルのスピーカを表すアイコンを含む画面を上記表示装置に表示させ、外部のリモートコントロール装置による当該画面上のアイコンの選択に応じて複数のスピーカの中からスピーカを選択し、上記アイコンのいずれかが選択された状況で、上記各音声出力端子に順にテスト音声信号を出力させることにより各音声出力端子に接続された各スピーカから順にテスト音声を出力させ、各スピーカから順にテスト音声が出力されている過程で上記リモートコントロール装置による所定の対応付け指示を受け付け、当該対応付け指示を受け付けた時点で上記テスト音声信号を出力している音声出力端子と上記選択されているアイコンが示すスピーカとを対応付ける処理を、上記アイコンが選択される度に繰り返し実行し、かつ、一つのアイコンが選択された場合、既にスピーカとの対応付けがなされた音声出力端子以外の音声出力端子を対象としてテスト音声信号を出力させることとし、上記アイコンの選択によりＳＷのスピーカが選択された場合は所定の低音域の周波数によるテスト音声信号を出力させ、上記アイコンの選択によりＳＷ以外のスピーカが選択された場合は当該低音域の周波数よりも高周波数のテスト音声信号を出力させ、上記デジタルコンテンツの再生にあたっては、各スピーカがそれぞれ対応するチャンネルの音声信号を、上記対応付けの処理により各スピーカに対応付けた音声出力端子からそれぞれ出力させる、構成としてもよい。
【００１１】
さらには、本発明の技術的思想は、音声再生装置や音響システム以外にも、これら装置やシステムで実現する処理ステップからなる方法の発明や、かかる処理ステップをコンピュータに実現させるプログラムの発明としても捉えることができる。
【００１２】
次に、本発明の実施形態を図面を参照しながら説明する。
図１は、５．１ｃｈサラウンドの音声出力を採用するホームシアターシステム１０を例示している。ホームシアターシステム１０は音響システムを実現する。ただし、ホームシアターシステム１０が採用する音声出力は、５．１ｃｈ以外のチャンネル数（７．１ｃｈ等）であってもよい。ホームシアターシステム１０は、再生装置２０と、表示装置３０と、音声の各チャンネルに対応したスピーカ（ＦＬスピーカ４１、ＦＲスピーカ４２、Ｃｅｎｔｅｒ（Ｃ）スピーカ４３、ＳＬスピーカ４４、ＳＲスピーカ４５、ＳＷスピーカ４６）とを含んでいる。再生装置２０は、サラウンドの音声フォーマットに対応した音声情報を含むデジタルコンテンツを記録した記録媒体を読み込み、デジタルコンテンツを再生可能なプレーヤであり、音声再生装置に該当する。再生装置２０は映像も再生可能である。表示装置３０は、放送信号の受信機能を備えたテレビジョンや受信機能を備えないモニタ等が該当する。再生装置２０は表示装置３０と信号通信のためのケーブル（例えばＨＤＭＩケーブル）７０を介して接続しており、再生装置２０で再生された映像信号がケーブル７０を介して表示装置３０の画面に出力される。
【００１３】
ＦＬスピーカ４１、ＦＲスピーカ４２、Ｃスピーカ４３、ＳＬスピーカ４４、ＳＲスピーカ４５、ＳＷスピーカ４６はそれぞれ、ホームシアターシステム１０が設置される室内の所定位置にユーザによって配置されつつ、音声信号通信のためのケーブル５０によって再生装置２０に接続される。図２に例示するように、再生装置２０の筺体背面には、音声出力端子としてのコネクタ６１，６２，６３，６４，６５，６６が設けられている。これらコネクタ６１〜６６は、ケーブル５０を介してスピーカ４１〜４６と接続するためのコネクタである。
【００１４】
ここでは基本的に、コネクタ６１はＦＬスピーカ４１を接続するための（接続することが期待されている）コネクタであり、同様に、コネクタ６２はＦＲスピーカ４２を接続するためのコネクタであり、コネクタ６３はＣスピーカ４３を接続するためのコネクタであり、コネクタ６４はＳＬスピーカ４４を接続するためのコネクタであり、コネクタ６５はＳＲスピーカ４５を接続するためのコネクタであり、コネクタ６６はＳＷスピーカ４６を接続するためのコネクタである。つまり、コネクタとスピーカとの間には本来の対応関係が存在する。
【００１５】
図３は、再生装置２０の構成のうち主に音声処理に必要な一部の構成についてブロック図により例示している。再生装置２０は、メディアドライブ２１、コントロールＩＣ２２、外部接続インターフェイス（Ｉ／Ｆ）２３、リモートコントロールインターフェイス（Ｉ／Ｆ）２４、デジタル信号プロセッサ（ＤＳＰ）２５、ＰＷＭプロセッサ２６、デジタルアンプ２７、コネクタ６１〜６６等を含んでいる。むろん再生装置２０は図示した構成以外にも、表示装置３０と接続するケーブル７０と接続するためのＩ／Ｆ等、映像音声再生装置として必要な各種公知の構成を備える。再生装置２０では、コントロールＩＣ２２がプログラムに従って所定の処理を実行することにより再生装置２０全体を制御する。
【００１６】
メディアドライブ２１にはＤＶＤやブルーレイディスク（ＢＤ）等の記録媒体Ｍが挿入され、メディアドライブ２１は記録媒体Ｍからの情報の読み込みや、記録媒体Ｍに対する情報の書き込みを実行可能である。コントロールＩＣ２２は、メディアドライブ２１を制御して記録媒体Ｍを読み込ませることによりメディアドライブ１１から取得したコンテンツデータ（サラウンドの音声フォーマットに対応した音声情報を含むデジタルコンテンツ）をデコードすることにより、コンテンツを構成する映像信号や音声信号を生成する。また再生装置２０は、外部接続Ｉ／Ｆ２３を介して接続された不図示の外部機器からも再生対象のコンテンツデータ（サラウンドの音声フォーマットに対応した音声情報を含むデジタルコンテンツ）を入力可能であり、コントロールＩＣ２２は、このように入力されたコンテンツデータをデコードして映像信号や音声信号を生成する。
【００１７】
ＤＳＰ２５は、上記デコードにより生成された音声信号から、ＦＬ，ＦＲ，Ｃ，ＳＬ，ＳＲ，ＳＷの各チャンネルの音声信号を抽出し、これら各チャンネルの音声信号をＩ２Ｓ信号に変換してＰＷＭプロセッサ２６に送信する。Ｉ２Ｓ信号は、ＩＣ間でデジタル音声信号を転送するための規格に準拠した信号である。ＰＷＭプロセッサ２６は、Ｉ２Ｓ信号に含まれる各チャンネルの音声信号を、スピーカを駆動するためのＰＷＭ（Pulse Width Modulation；パルス幅変調）信号に変換する。デジタルアンプ２７は、これらＰＷＭ信号（音声信号）を増幅しつつデジタル／アナログ変換し、変換後の各チャンネルの音声信号を、各チャンネルと各コネクタ６１〜６６との対応関係に応じて、各コネクタ６１〜６６から出力させる。
【００１８】
各チャンネルの音声信号には、例えば、対応するコネクタ６１〜６６を特定するための識別情報（ＩＤ）が付されている。識別情報の付与は、例えばＤＳＰ２５により実行される。識別情報の付与は、後述する「対応付け処理」の結果に従って行なわれる。
リモートコントロールＩ／Ｆ２４は、外部のリモートコントロール装置８０から送信される赤外線信号（リモートコントロール信号）を受光し、受光した信号に応じた電気信号をコントロールＩＣ２２に送信する。またコントロールＩＣ２２は、表示装置３０の画面に表示するためのユーザインターフェイス（ＵＩ）画像を生成する機能を有し、当該生成したＵＩ画像をケーブル７０を介して表示装置３０の画面に表示させることができる。
【００１９】
図４は、対応付け処理の内容を例示したフローチャートである。当該フローチャートを開始するにあたっては、ユーザによりコネクタ６１〜６６にスピーカ４１〜４６が接続されているものとする。ただしユーザは、上述した“本来の対応関係”を認識して正しくスピーカとコネクタとを接続するとは限らないため、かかる“本来の対応関係”が無視されてスピーカとコネクタとが接続されている場合もあり得る。
【００２０】
ステップＳ１００では、コントロールＩＣ２２は、ＦＬ，ＦＲ，Ｃ，ＳＬ，ＳＲ，ＳＷの各チャンネルのスピーカ（ＦＬスピーカ４１、ＦＲスピーカ４２、Ｃスピーカ４３、ＳＬスピーカ４４、ＳＲスピーカ４５、ＳＷスピーカ４６）を表すアイコンを含むＵＩ画像３１を生成し、ＵＩ画像３１を表示装置３０の画面に表示させる。この場合、例えば、ユーザがリモートコントロール装置８０等を操作して所定のメニュー画面から「スピーカ接続設定モード」等といったモードを選択し、コントロールＩＣ２２は、かかる選択をリモートコントロールＩ／Ｆ２４を介して認識し、その結果、ＵＩ画像３１を表示させる。
【００２１】
ステップＳ１１０では、コントロールＩＣ２２は、リモートコントロール装置８０によるＵＩ画像３１上のアイコンの選択（スピーカの選択指示）を、リモートコントロールＩ／Ｆ２４を介して受け付ける。図５は、ＵＩ画像３１上でＦＬ，ＦＲ，Ｃｅｎｔｅｒ（Ｃ），ＳＬ，ＳＲ，ＳＷの各チャンネルのスピーカを表すアイコンの中から一つのスピーカ（例えばＦＬスピーカ４１）に対応するアイコンが選択された様子を例示している。ユーザは、リモートコントロール装置８０を操作することで任意にアイコン（スピーカ）を選択することができる。具体的には、ユーザは、テスト音声の出力有無の確認対象とするスピーカを、アイコンの選択により選択する。
【００２２】
ステップＳ１２０では、アイコンの選択によりいずれかのチャンネルのスピーカが選択された状態で、コントロールＩＣ２２は予め用意されたモノラルのテスト音声にかかる音声信号（テスト音声信号）をＤＳＰ２５以降の音声出力系に提供し、コネクタ６１〜６６に順にテスト音声信号を出力させる。この場合、予め決められたコネクタ間の順番（例えば、コネクタ６１→コネクタ６２→コネクタ６３→コネクタ６４→コネクタ６５→コネクタ６６という順番）に従って、各コネクタから所定時間（数秒あるいは数十秒）ずつテスト音声信号を出力させる。この結果、各コネクタに接続された各スピーカから順にテスト音声が出力される。
【００２３】
ユーザは、各スピーカから順にテスト音声が出力されている状況において、そのとき上記確認対象として選択しているスピーカ（ＦＬスピーカ４１）から実際にテスト音声が出力されるのを待ち、確認対象のスピーカからのテスト音声の出力を認識したタイミングで、リモートコントロール装置８０を操作して所定の対応付け指示を送信する（例えば、リモートコントロール装置８０に設けられたＯＫボタンを押す）。ステップＳ１３０では、コントロールＩＣ２２は、上記対応付け指示をリモートコントロールＩ／Ｆ２４を介して受け付ける。
【００２４】
ステップＳ１４０では、コントロールＩＣ２２は、上記対応付け指示を受け付けた時点でテスト音声信号を出力させていたコネクタ（コネクタ６１〜６６のいずれか一つ）と上記ステップＳ１１０で選択されているアイコンが示すスピーカ（ＦＬスピーカ４１）とを一対一で対応付ける（関連付ける）。ステップＳ１５０では、コントロールＩＣ２２は、ＦＬ，ＦＲ，Ｃ，ＳＬ，ＳＲ，ＳＷの各チャンネルのスピーカ全てについてコネクタの対応付けを終えたか否か判定し、終えていないと判定した場合はステップＳ１１０に戻り、それまで選択されていたアイコンとは異なるアイコンの選択（スピーカの選択指示）を受け付け、ステップＳ１２０以降の処理を繰り返す。つまりユーザは、テスト音声の出力有無の確認対象とするスピーカを変更する。
【００２５】
２回目以降のステップＳ１２０では、コントロールＩＣ２２は、既にいずれかのスピーカと対応付けられたコネクタについては、テスト音声信号の出力対象としない。例えば、既にコネクタ６２がいずれかのスピーカ（例えばＦＬスピーカ４１）と対応付けられている場合には、コネクタ６２を除いた他のコネクタ６１，６３〜６６に順にテスト音声信号を出力させる。かかる構成とすることで、複数のスピーカとコネクタとの一対一の対応付けを効率的に進めることができる。
【００２６】
一方、ステップＳ１５０において、ＦＬ，ＦＲ，Ｃ，ＳＬ，ＳＲ，ＳＷの各チャンネルのスピーカ全てについてコネクタの対応付けを終えたと判定した場合は、コントロールＩＣ２２はステップＳ１６０に進む。ステップＳ１６０では、コントロールＩＣ２２は、ステップＳ１１０〜Ｓ１４０の繰り返しにより取得した各チャンネルのスピーカと各コネクタとの対応関係を規定した情報（対応関係情報）を、所定のメモリー（不図示）に保存する。例えば、対応関係情報は、ＤＳＰ２５が備えるメモリーに保存される。以上により対応付け処理が完了する。再生装置２０は、ステップＳ１００，Ｓ１１０を実行する点でスピーカ選択手段を備えていると言え、ステップＳ１２０を実行する点でテスト音声出力手段を備えていると言え、ステップＳ１３０，Ｓ１４０を実行する点で対応付け手段を備えていると言える。
【００２７】
次に、対応関係情報を参照した音声出力処理について説明する。この音声出力処理を実行可能な点で、再生装置２０は対応音声出力手段を有していると言える。記録媒体Ｍや外部装置から取得したデジタルコンテンツの再生にあたってＤＳＰ２５は、対応関係情報に基づいてＦＬ，ＦＲ，Ｃ，ＳＬ，ＳＲ，ＳＷの各チャンネルの音声信号に対し識別情報を付与する。例えば、対応関係情報において、ＦＬスピーカ４１とコネクタ６２、ＦＲスピーカ４２とコネクタ６１、Ｃスピーカ４３とコネクタ６４、ＳＬスピーカ４４とコネクタ６３、ＳＲスピーカ４５とコネクタ６５、ＳＷスピーカ４６とコネクタ６６、がそれぞれ対応付けられていたとする。この場合、ＤＳＰ２５は、ＦＬチャンネルの音声信号に対しコネクタ６２を示す識別情報を付加し、同様に、ＦＲチャンネルの音声信号に対しコネクタ６１を示す識別情報を付加し、Ｃチャンネルの音声信号に対しコネクタ６４を示す識別情報を付加し、ＳＬチャンネルの音声信号に対しコネクタ６３を示す識別情報を付加し、ＳＲチャンネルの音声信号に対しコネクタ６５を示す識別情報を付加し、ＳＷチャンネルの音声信号に対しコネクタ６６を示す識別情報を付加する。ＤＳＰ２５は、これら識別情報を有する各チャンネルの音声信号をＩ２Ｓ信号に変換してＰＷＭプロセッサ２６に送信する。これにより、デジタルアンプ２７は各チャンネルの音声信号をコネクタ６１〜６６から出力させる際、音声信号に付加された識別情報が示すコネクタにその音声信号を出力させることとなる。
【００２８】
このように本実施形態では、再生装置２０は、複数の音声出力端子（コネクタ）にユーザが任意に接続した複数のスピーカに順にテスト音声を出力させ、テスト音声の出力有無の確認対象としてユーザがＵＩ画像３１上で選択したスピーカからテスト音声が出力されたときにこれを認識したユーザから対応付け指示を受け付けることにより、実際にどのコネクタにどのチャンネルのスピーカが接続されているかを正確に把握する（対応関係情報を保存する）。そして、コンテンツ再生にあたり実際に各チャンネルの音声信号を各コネクタから出力させる際には、対応関係情報に規定されたスピーカとコネクタとの対応関係に従って、各チャンネルの音声信号を各コネクタに割り当てる。この結果、どのコネクタにどのスピーカが接続されていたとしても、各スピーカからは、それらスピーカが各々対応しているチャンネルの音声が正確に出力され、サラウンドによる適切なオーディオ環境がユーザに提供される。つまりユーザは、スピーカとコネクタとの本来の対応関係を全く意識することなく自由に各スピーカをコネクタに接続しても各スピーカから正しいチャンネルの音声信号が出力されるようになるため、各スピーカを再生装置２０に接続する際の煩雑さが解消され、且つ従来発生していた接続間違いが無くなる（接続間違いという概念自体が無くなる）。
【００２９】
本発明の実施形態は上述したものに限られない。例えば、コントロールＩＣ２２は、ステップＳ１１０にてＳＷスピーカ４６に対応するアイコンが選択された後のステップＳ１２０では、所定の低音域の周波数（例えば３０〜１５０Ｈｚ）によるテスト音声信号を各コネクタ（ただし既にスピーカとの対応付けがなされているコネクタを除く。）から順に出力させる。この場合、ＳＷスピーカ４６からの低音のテスト音声の出力を認識したユーザが、認識したタイミングで対応付け指示を行なうことで、ＳＷスピーカ４６と、そのときテスト音声信号を出力していたコネクタとを対応付けることができる（ステップＳ１３０，Ｓ１４０）。なお、コントロールＩＣ２２は、ステップＳ１１０にてＳＷスピーカ４６以外のスピーカに対応するアイコンが選択された後のステップＳ１２０では、上記低音域の周波数よりも高周波数（例えば１ｋＨｚ）のテスト音声信号を各コネクタ（ただし既にスピーカとの対応付けがなされているコネクタを除く。）から順に出力させる。
【符号の説明】
【００３０】
１０…ホームシアターシステム、２０…再生装置、２１…メディアドライブ、２２…コントロールＩＣ、２３…外部接続Ｉ／Ｆ、２４…リモートコントロールＩ／Ｆ、２５…ＤＳＰ、２６…ＰＷＭプロセッサ、２７…デジタルアンプ、３０…表示装置、３１…ＵＩ画像、４１…ＦＬスピーカ、４２…ＦＲスピーカ、４３…Ｃスピーカ、４４…ＳＬスピーカ、４５…ＳＲスピーカ、４６…ＳＷスピーカ、６１，６２，６３，６４，６５，６６…コネクタ、８０…リモートコントロール装置
【図１】
2012100077.tif 000003
【図２】
2012100077.tif 000004
【図３】
2012100077.tif 000005
【図４】
2012100077.tif 000006
【図５】
2012100077.tif 000007